(57)【要約】  非周期的チャネル状態情報ＣＳＩフィードバック用のＣＳＩフィードバック配置群をネットワーク機器から端末に指示し、前記ＣＳＩフィードバック配置群のうちの最適なＣＳＩフィードバック配置に基づく非周期的ＣＳＩフィードバックを前記端末に指示するための下り制御情報ＤＣＩを前記ネットワーク機器から前記端末に送信する。非周期的ＣＳＩフィードバック用のＣＳＩフィードバック配置群をネットワーク機器から端末に指示して端末にＤＣＩを送信し、前記ＣＳＩフィードバック配置群のうちの最適なＣＳＩフィードバック配置に基づく非周期的ＣＳＩフィードバックを、当該ＤＣＩによって端末に指示する。それによって、端末の非周期的ＣＳＩフィードバック方式において、最適なＣＳＩフィードバック配置に対応するＣＳＩおよび当該ＣＳＩの位置情報の端末によるレポートをサポートする目的を実現することができる。【選択図】図２
2018520571.tif 000002
【特許請求の範囲】
【請求項１】
非周期的チャネル状態情報ＣＳＩフィードバック用のＣＳＩフィードバック配置群をネットワーク機器から端末に指示することと、
前記ＣＳＩフィードバック配置群のうちの最適なＣＳＩフィードバック配置に基づく非周期的ＣＳＩフィードバックを前記端末に指示するための下り制御情報ＤＣＩを前記ネットワーク機器から前記端末に送信することと
を含むことを特徴とするチャネル状態情報取得方法。
【請求項２】
前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含むことを特徴とする請求項１に記載のチャネル状態情報取得方法。
【請求項３】
前記最適なＣＳＩフィードバック配置の前記ＣＳＩフィードバック配置群における位置情報は、具体的に、最適なＣＳＩフィードバック配置の前記ＣＳＩフィードバック配置群におけるインデックス、または、最適なＣＳＩフィードバック配置の前記ＣＳＩフィードバック配置群の位置系列における対応位置のビット値であり、ここで、前記ＣＳＩフィードバック配置群のうちの各ＣＳＩフィードバック配置が前記位置系列における１つの位置に対応することを特徴とする請求項２に記載のチャネル状態情報取得方法。
【請求項４】
前記ネットワーク機器から端末に指示するＣＳＩフィードバック配置群の数が１つであり、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から端末に指示するＣＳＩフィードバック配置群の数が複数であり、前記ＤＣＩには、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示するための指示情報を含み、
または、
前記ネットワーク機器から端末に指示するＣＳＩフィードバック配置群の数が複数であり、前記ＤＣＩには、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から端末に指示するＣＳＩフィードバック配置群の数が複数であり、各ＣＳＩフィードバック配置群が１つの搬送波集合に対応し、前記ＤＣＩには、１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から前記端末に指示されて１つまたは複数のＣＳＩフィードバック配置群を含むＣＳＩフィードバック配置群集合の数が複数であり、前記ＤＣＩには、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示するための指示情報を含むことを特徴とする請求項２に記載のチャネル状態情報取得方法。
【請求項５】
前記搬送波集合に配置するＣＳＩフィードバック配置群を前記ネットワーク機器から前記端末に指示することをさらに含むことを特徴とする請求項４に記載のチャネル状態情報取得方法。
【請求項６】
ＣＳＩフィードバック配置群のうちの最適なＣＳＩフィードバック配置の数は、予め決められ、
または、
ＣＳＩフィードバック配置群のうちの最適なＣＳＩフィードバック配置の数は、前記ＤＣＩに含まれる指示情報によって指示され、
または、
１つのＣＳＩフィードバック配置群のうちの最適なＣＳＩフィードバック配置の数は、配置パラメータとして当該ＣＳＩフィードバック配置群の配置パラメータに含まれ、
または、
１つのＣＳＩフィードバック配置群のうちの最適なＣＳＩフィードバック配置の数は、配置パラメータとして当該ＣＳＩフィードバック配置群の所属するＣＳＩフィードバック配置群集合の配置パラメータに含まれ、１つのＣＳＩフィードバック配置群集合における全てのＣＳＩフィードバック配置群のうちの最適なＣＳＩフィードバック配置の数が同一であることを特徴とする請求項１〜５のいずれか一項に記載のチャネル状態情報取得方法。
【請求項７】
前記ＣＳＩフィードバック配置群のうちの最適なＣＳＩフィードバック配置に基づく非周期的ＣＳＩフィードバックを前記ＤＣＩによって前記端末に指示してから、
前記ネットワーク機器が、前記端末からフィードバックされる最適なＣＳＩフィードバック配置に対応するＣＳＩと位置情報に基づいて、下りプリコーディングを行うこと、
または、
前記ネットワーク機器が、前記端末からフィードバックされる最適なＣＳＩフィードバック配置の位置情報に基づいて、物理上りリンク制御チャネルＰＵＣＣＨのＣＳＩフィードバック配置情報を更新することをさらに含むことを特徴とする請求項１に記載のチャネル状態情報取得方法。
【請求項８】
各搬送波が１つのＣＳＩフィードバック配置群に対応し、または、全ての搬送波が１つのＣＳＩフィードバック配置群に対応することを特徴とする請求項４または５に記載のチャネル状態情報取得方法。
【請求項９】
端末が、ネットワーク機器から指示される非周期的チャネル状態情報ＣＳＩフィードバック用のＣＳＩフィードバック配置群を受信することと、
前記端末が、前記ネットワーク機器から送信される下り制御情報ＤＣＩを受信し、前記ＤＣＩに基づいて、前記ＣＳＩフィードバック配置群のうちの最適なＣＳＩフィードバック配置をフィードバックして非周期的ＣＳＩフィードバックを行うことと
を含むことを特徴とするチャネル状態情報フィードバック方法。
【請求項１０】
前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含むことを特徴とする請求項９に記載のチャネル状態情報フィードバック方法。
【請求項１１】
前記最適なＣＳＩフィードバック配置の前記ＣＳＩフィードバック配置群における位置情報は、具体的に、最適なＣＳＩフィードバック配置の前記ＣＳＩフィードバック配置群におけるインデックス、または、最適なＣＳＩフィードバック配置の前記ＣＳＩフィードバック配置群の位置系列における対応位置のビット値であり、ここで、前記ＣＳＩフィードバック配置群のうちの各ＣＳＩフィードバック配置が前記位置系列における１つの位置に対応することを特徴とする請求項１０に記載のチャネル状態情報フィードバック方法。
【請求項１２】
前記ネットワーク機器から端末に指示するＣＳＩフィードバック配置群の数が１つであり、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から端末に指示するＣＳＩフィードバック配置群の数が複数であり、前記ＤＣＩには、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示するための指示情報を含み、
または、
前記ネットワーク機器から端末に指示するＣＳＩフィードバック配置群の数が複数であり、前記ＤＣＩには、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から端末に指示するＣＳＩフィードバック配置群の数が複数であり、各ＣＳＩフィードバック配置群が１つの搬送波集合に対応し、前記ＤＣＩには、１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から前記端末に指示されて１つまたは複数のＣＳＩフィードバック配置群を含むＣＳＩフィードバック配置群集合の数が複数であり、前記ＤＣＩには、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示するための指示情報を含むことを特徴とする請求項１０に記載のチャネル状態情報フィードバック方法。
【請求項１３】
前記端末が、前記ネットワーク機器から送信される指示情報を受信することをさらに含み、
前記指示情報は、前記搬送波集合に配置するＣＳＩフィードバック配置群を指示することを特徴とする請求項１２に記載のチャネル状態情報フィードバック方法。
【請求項１４】
ＣＳＩフィードバック配置群のうちの最適なＣＳＩフィードバック配置の数は、予め決められ、
または、
ＣＳＩフィードバック配置群のうちの最適なＣＳＩフィードバック配置の数は、前記ＤＣＩに含まれる指示情報によって指示され、
または、
１つのＣＳＩフィードバック配置群のうちの最適なＣＳＩフィードバック配置の数は、配置パラメータとして当該ＣＳＩフィードバック配置群の配置パラメータに含まれ、
または、
１つのＣＳＩフィードバック配置群のうちの最適なＣＳＩフィードバック配置の数は、配置パラメータとして当該ＣＳＩフィードバック配置群の所属するＣＳＩフィードバック配置群集合の配置パラメータに含まれ、１つのＣＳＩフィードバック配置群集合における全てのＣＳＩフィードバック配置群のうちの最適なＣＳＩフィードバック配置の数が同一であることを特徴とする請求項９〜１３のいずれか一項に記載のチャネル状態情報フィードバック方法。
【請求項１５】
各搬送波が１つのＣＳＩフィードバック配置群に対応し、または、全ての搬送波が１つのＣＳＩフィードバック配置群に対応することを特徴とする請求項１２または１３に記載のチャネル状態情報フィードバック方法。
【請求項１６】
非周期的チャネル状態情報ＣＳＩフィードバック用のＣＳＩフィードバック配置群を端末に指示するための第１送信ユニットと、
前記ＣＳＩフィードバック配置群のうちの最適なＣＳＩフィードバック配置に基づく非周期的ＣＳＩフィードバックを前記端末に指示するための下り制御情報ＤＣＩを前記端末に送信するための第２送信ユニットと
を含むことを特徴とするネットワーク機器。
【請求項１７】
前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含むことを特徴とする請求項１６に記載のネットワーク機器。
【請求項１８】
前記最適なＣＳＩフィードバック配置の前記ＣＳＩフィードバック配置群における位置情報は、具体的に、最適なＣＳＩフィードバック配置の前記ＣＳＩフィードバック配置群におけるインデックス、または、最適なＣＳＩフィードバック配置の前記ＣＳＩフィードバック配置群の位置系列における対応位置のビット値であり、ここで、前記ＣＳＩフィードバック配置群のうちの各ＣＳＩフィードバック配置が前記位置系列における１つの位置に対応することを特徴とする請求項１７に記載のネットワーク機器。
【請求項１９】
前記ネットワーク機器から端末に指示するＣＳＩフィードバック配置群の数が１つであり、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から端末に指示するＣＳＩフィードバック配置群の数が複数であり、前記ＤＣＩには、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示するための指示情報を含み、
または、
前記ネットワーク機器から端末に指示するＣＳＩフィードバック配置群の数が複数であり、前記ＤＣＩには、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から端末に指示するＣＳＩフィードバック配置群の数が複数であり、各ＣＳＩフィードバック配置群が１つの搬送波集合に対応し、前記ＤＣＩには、１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から前記端末に指示されて１つまたは複数のＣＳＩフィードバック配置群を含むＣＳＩフィードバック配置群集合の数が複数であり、前記ＤＣＩには、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示するための指示情報を含むことを特徴とする請求項１７に記載のネットワーク機器。
【請求項２０】
前記搬送波集合に配置するＣＳＩフィードバック配置群を前記端末に指示するための第３送信ユニットをさらに含むことを特徴とする請求項１９に記載のネットワーク機器。
【請求項２１】
ＣＳＩフィードバック配置群のうちの最適なＣＳＩフィードバック配置の数は、予め決められ、
または、
ＣＳＩフィードバック配置群のうちの最適なＣＳＩフィードバック配置の数は、前記ＤＣＩに含まれる指示情報によって指示され、
または、
１つのＣＳＩフィードバック配置群のうちの最適なＣＳＩフィードバック配置の数は、配置パラメータとして当該ＣＳＩフィードバック配置群の配置パラメータに含まれ、
または、
１つのＣＳＩフィードバック配置群のうちの最適なＣＳＩフィードバック配置の数は、配置パラメータとして当該ＣＳＩフィードバック配置群の所属するＣＳＩフィードバック配置群集合の配置パラメータに含まれ、１つのＣＳＩフィードバック配置群集合における全てのＣＳＩフィードバック配置群のうちの最適なＣＳＩフィードバック配置の数が同一であることを特徴とする請求項１６〜２０のいずれか一項に記載のネットワーク機器。
【請求項２２】
前記端末からフィードバックされる最適なＣＳＩフィードバック配置に対応するＣＳＩと位置情報に基づいて、下りプリコーディングを行い、
または、
前記端末からフィードバックされる最適なＣＳＩフィードバック配置の位置情報に基づいて、物理上りリンク制御チャネルＰＵＣＣＨのＣＳＩフィードバック配置情報を更新するための処理ユニットをさらに含むことを特徴とする請求項１６に記載のネットワーク機器。
【請求項２３】
各搬送波が１つのＣＳＩフィードバック配置群に対応し、または、全ての搬送波が１つのＣＳＩフィードバック配置群に対応することを特徴とする請求項１９または２０に記載のネットワーク機器。
【請求項２４】
ネットワーク機器から指示される非周期的チャネル状態情報ＣＳＩフィードバック用のＣＳＩフィードバック配置群を受信するための第１受信ユニットと、
前記ネットワーク機器から送信される下り制御情報ＤＣＩを受信するための第２受信ユニットと、
前記ＤＣＩに基づいて、前記ＣＳＩフィードバック配置群のうちの最適なＣＳＩフィードバック配置をフィードバックして非周期的ＣＳＩフィードバックを行うためのフィードバックユニットと
を含むことを特徴とする端末。
【請求項２５】
前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含むことを特徴とする請求項２４に記載の端末。
【請求項２６】
前記最適なＣＳＩフィードバック配置の前記ＣＳＩフィードバック配置群における位置情報は、具体的に、最適なＣＳＩフィードバック配置の前記ＣＳＩフィードバック配置群におけるインデックス、または、最適なＣＳＩフィードバック配置の前記ＣＳＩフィードバック配置群の位置系列における対応位置のビット値であり、ここで、前記ＣＳＩフィードバック配置群のうちの各ＣＳＩフィードバック配置が前記位置系列における１つの位置に対応することを特徴とする請求項２５に記載の端末。
【請求項２７】
前記ネットワーク機器から端末に指示するＣＳＩフィードバック配置群の数が１つであり、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から端末に指示するＣＳＩフィードバック配置群の数が複数であり、前記ＤＣＩには、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示するための指示情報を含み、
または、
前記ネットワーク機器から端末に指示するＣＳＩフィードバック配置群の数が複数であり、前記ＤＣＩには、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から端末に指示するＣＳＩフィードバック配置群の数が複数であり、各ＣＳＩフィードバック配置群が１つの搬送波集合に対応し、前記ＤＣＩには、１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から前記端末に指示されて１つまたは複数のＣＳＩフィードバック配置群を含むＣＳＩフィードバック配置群集合の数が複数であり、前記ＤＣＩには、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示するための指示情報を含むことを特徴とする請求項２５に記載の端末。
【請求項２８】
前記ネットワーク機器から送信される指示情報を受信するための第３受信ユニットをさらに含み、
前記指示情報は、前記搬送波集合に配置するＣＳＩフィードバック配置群を指示することを特徴とする請求項２７に記載の端末。
【請求項２９】
ＣＳＩフィードバック配置群のうちの最適なＣＳＩフィードバック配置の数は、予め決められ、
または、
ＣＳＩフィードバック配置群のうちの最適なＣＳＩフィードバック配置の数は、前記ＤＣＩに含まれる指示情報によって指示され、
または、
１つのＣＳＩフィードバック配置群のうちの最適なＣＳＩフィードバック配置の数は、配置パラメータとして当該ＣＳＩフィードバック配置群の配置パラメータに含まれ、
または、
１つのＣＳＩフィードバック配置群のうちの最適なＣＳＩフィードバック配置の数は、配置パラメータとして当該ＣＳＩフィードバック配置群の所属するＣＳＩフィードバック配置群集合の配置パラメータに含まれ、１つのＣＳＩフィードバック配置群集合における全てのＣＳＩフィードバック配置群のうちの最適なＣＳＩフィードバック配置の数が同一であることを特徴とする請求項２４〜２８のいずれか一項に記載の端末。
【請求項３０】
各搬送波が１つのＣＳＩフィードバック配置群に対応し、または、全ての搬送波が１つのＣＳＩフィードバック配置群に対応することを特徴とする請求項２７または２８に記載の端末。
【請求項３１】
プロセッサと、
バスインタフェースを介して前記プロセッサに接続し、前記プロセッサによる実行作業に使用されるプログラムとデータを記憶するためのメモリと、
伝送媒体で各種類のほかの機器と通信するためのトランシーバとを含むネットワーク機器において、
プロセッサが前記メモリに記憶されるプログラムとデータを呼び出して実行するにあたり、
非周期的チャネル状態情報ＣＳＩフィードバック用のＣＳＩフィードバック配置群を端末に指示することと、
前記ＣＳＩフィードバック配置群のうちの最適なＣＳＩフィードバック配置に基づく非周期的ＣＳＩフィードバックを前記端末に指示するための下り制御情報ＤＣＩを前記ネットワーク機器から前記端末に送信することと
を実行することを特徴とするネットワーク機器。
【請求項３２】
プロセッサと、
バスインタフェースを介して前記プロセッサに接続し、前記プロセッサによる実行作業に使用されるプログラムとデータを記憶するためのメモリと、
伝送媒体で各種類のほかの機器と通信するためのトランシーバとを含む端末において、
プロセッサが前記メモリに記憶されるプログラムとデータを呼び出して実行するにあたり、
ネットワーク機器から指示される非周期的チャネル状態情報ＣＳＩフィードバック用のＣＳＩフィードバック配置群を受信することと、
前記ネットワーク機器から送信される下り制御情報ＤＣＩを受信し、前記ＤＣＩに基づいて、前記ＣＳＩフィードバック配置群のうちの最適なＣＳＩフィードバック配置をフィードバックして非周期的ＣＳＩフィードバックを行うことと
を実行することを特徴とする端末。
【発明の詳細な説明】
【技術分野】
【０００１】
本願は、２０１５年５月２１日に中国特許庁に提出された中国特許出願Ｎｏ．２０１５１０２６４０５４．３の優先権を主張し、その全ての内容が援用により本願に取り込まれる。
【０００２】
本公開は、通信分野に関し、特にチャネル状態情報取得方法および装置に関する。
【背景技術】
【０００３】
従来のセルラーシステムにおいて、ネットワーク機器（例えば基地局）のアンテナアレイは、図１Ａに示す水平配列の複分極アンテナ（ＤｕａｌＰｏｌａｒｉｚｅｄ  Ａｎｔｅｎｎａ）や図１Ｂに示す水平配列のリニアアレイアンテナのように、通常、水平配列である。ネットワーク機器の送信側ビームは、水平方向のみで調整でき、垂直方向で一定の下方傾斜角度である。そのため、各種類のビームフォーミング／プリコーディング技術などは、いずれも水平方向のチャネル情報に基づいて行われる。事実上、無線信号が空間において三次元的に伝播されるため、下方傾斜角度が一定である方法では、システムの性能を最適化することができない。垂直方向のビーム調整は、セル間干渉の低減、システム性能の向上に非常に重要な意義を持つ。アンテナ技術の発展と伴い、業界では、例えば図１Ｃに示す水平と垂直二次元配列の複分極アンテナおよび図１Ｄに示す水平と垂直配列のリニアアレイアンテナのように、各アンテナ素子に対し独立に制御可能なアクティブアンテナが現れ、このようなアンテナアレイを採用することによって、ビームを垂直方向で動的に調整することが可能になる。
【０００４】
このような三次元アンテナアレイにおいて、ネットワーク機器の送信信号は、水平方向のみならず、垂直方向でも端末のフォーミングを行うことができる。ネットワーク機器が垂直方向のフォーミングベクトルを確定して垂直方向のビームを的確に端末に向かわせることによって最大のフォーミングゲインを取得するために、通常端末から垂直方向のチャネル状態情報（ＣＳＩ：Ｃｈａｎｎｅｌ  Ｓｔａｔｅ  Ｉｎｆｏｒｍａｔｉｏｎ）をフィードバックする必要がある。
【０００５】
ネットワーク機器がＦＤ−ＭＩＭＯ（Ｆｕｌｌ  Ｄｉｍｅｎｓｉｏｎ  Ｍｕｌｔｉ−Ｉｎｐｕｔ−Ｍｕｌｔｉ−Ｏｕｔｐｕｔ）をサポートし、即ち、ＣＳＩビームフォーミング（ｂｅａｍｆｏｒｍｉｎｇ）の伝送方式をサポートするのであれば、ネットワーク機器が現在の最適なビーム情報を取得するには、端末から最適なＣＳＩフィードバック配置に対応するＣＳＩおよび当該ＣＳＩの位置情報をレポートする必要がある。
【０００６】
しかし、現在の非周期的ＣＳＩフィードバック方式では、端末から最適なＣＳＩフィードバック配置に対応するＣＳＩおよび当該ＣＳＩの位置情報をレポートすることをサポートしていない。
【０００７】
以上の記載をまとめると、端末の非周期的ＣＳＩフィードバック方式において、最適なＣＳＩフィードバック配置に対応するＣＳＩおよび当該ＣＳＩの位置情報を端末からレポートすることをサポートするためのチャネル状態情報取得方法および装置が特に求められている。
【発明の概要】
【発明が解決しようとする課題】
【０００８】
本公開の実施例は、端末の非周期的ＣＳＩフィードバック方式において、最適なＣＳＩフィードバック配置に対応するＣＳＩおよび当該ＣＳＩの位置情報を端末からレポートすることをサポートするためのチャネル状態情報取得方法および装置を提供する。
【課題を解決するための手段】
【０００９】
本公開の実施例は、非周期的チャネル状態情報ＣＳＩフィードバック用のＣＳＩフィードバック配置群をネットワーク機器から端末に指示することと、前記ＣＳＩフィードバック配置群のうちの最適なＣＳＩフィードバック配置に基づく非周期的ＣＳＩフィードバックを前記端末に指示するための下り制御情報ＤＣＩを前記ネットワーク機器から前記端末に送信することとを含むチャネル状態情報取得方法を提供する。
【００１０】
好ましくは、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。
【００１１】
好ましくは、前記ネットワーク機器から端末に指示するＣＳＩフィードバック配置群の数が１つであり、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、前記ＤＣＩには、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示するための指示情報を含む。または、前記ネットワーク機器から端末に指示するＣＳＩフィードバック配置群の数が複数であり、前記ＤＣＩには、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、各ＣＳＩフィードバック配置群が１つの搬送波集合に対応し、前記ＤＣＩには、１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から前記端末に指示されて１つまたは複数のＣＳＩフィードバック配置群を含むＣＳＩフィードバック配置群集合の数が複数であり、前記ＤＣＩには、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示するための指示情報を含む。
【００１２】
好ましくは、前記搬送波集合に配置するＣＳＩフィードバック配置群を前記ネットワーク機器から前記端末に指示する。
【００１３】
好ましくは、ＣＳＩフィードバック配置群のうちの最適なＣＳＩフィードバック配置の数は、予め決められる。または、ＣＳＩフィードバック配置群のうちの最適なＣＳＩフィードバック配置の数は、前記ＤＣＩに含まれる指示情報によって指示される。または、１つのＣＳＩフィードバック配置群のうちの最適なＣＳＩフィードバック配置の数は、配置パラメータとして当該ＣＳＩフィードバック配置群の配置パラメータに含まれる。または、１つのＣＳＩフィードバック配置群のうちの最適なＣＳＩフィードバック配置の数は、配置パラメータとして当該ＣＳＩフィードバック配置群の所属するＣＳＩフィードバック配置群集合の配置パラメータに含まれ、１つのＣＳＩフィードバック配置群集合における全てのＣＳＩフィードバック配置群のうちの最適なＣＳＩフィードバック配置の数が同一である。
【００１４】
本公開の実施例は、端末が、ネットワーク機器から指示される非周期的チャネル状態情報ＣＳＩフィードバック用のＣＳＩフィードバック配置群を受信することと、前記端末が、前記ネットワーク機器から送信される下り制御情報ＤＣＩを受信し、前記ＤＣＩに基づいて、前記ＣＳＩフィードバック配置群のうちの最適なＣＳＩフィードバック配置をフィードバックして非周期的ＣＳＩフィードバックを行うこととを含むチャネル状態情報フィードバック方法を提供する。
【００１５】
好ましくは、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。
【００１６】
好ましくは、前記ネットワーク機器から端末に指示するＣＳＩフィードバック配置群の数が１つであり、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、前記ＤＣＩには、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示するための指示情報を含む。または、前記ネットワーク機器から端末に指示するＣＳＩフィードバック配置群の数が複数であり、前記ＤＣＩには、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、各ＣＳＩフィードバック配置群が１つの搬送波集合に対応し、前記ＤＣＩには、１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から前記端末に指示されて１つまたは複数のＣＳＩフィードバック配置群を含むＣＳＩフィードバック配置群集合の数が複数であり、前記ＤＣＩには、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示するための指示情報を含む。
【００１７】
好ましくは、前記端末が、前記ネットワーク機器から送信される指示情報を受信する。前記指示情報は、前記搬送波集合に配置するＣＳＩフィードバック配置群を指示する。
【００１８】
好ましくは、ＣＳＩフィードバック配置群のうちの最適なＣＳＩフィードバック配置の数は、予め決められる。または、ＣＳＩフィードバック配置群のうちの最適なＣＳＩフィードバック配置の数は、前記ＤＣＩに含まれる指示情報によって指示される。または、１つのＣＳＩフィードバック配置群のうちの最適なＣＳＩフィードバック配置の数は、配置パラメータとして当該ＣＳＩフィードバック配置群の配置パラメータに含まれる。または、１つのＣＳＩフィードバック配置群のうちの最適なＣＳＩフィードバック配置の数は、配置パラメータとして当該ＣＳＩフィードバック配置群の所属するＣＳＩフィードバック配置群集合の配置パラメータに含まれ、１つのＣＳＩフィードバック配置群集合における全てのＣＳＩフィードバック配置群のうちの最適なＣＳＩフィードバック配置の数が同一である。
【００１９】
本公開の実施例は、非周期的チャネル状態情報ＣＳＩフィードバック用のＣＳＩフィードバック配置群を端末に指示するための第１送信ユニットと、前記ＣＳＩフィードバック配置群のうちの最適なＣＳＩフィードバック配置に基づく非周期的ＣＳＩフィードバックを前記端末に指示するための下り制御情報ＤＣＩを前記端末に送信するための第２送信ユニットとを含むネットワーク機器を提供する。
【００２０】
好ましくは、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。
【００２１】
好ましくは、前記ネットワーク機器から端末に指示するＣＳＩフィードバック配置群の数が１つであり、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、前記ＤＣＩには、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示するための指示情報を含む。または、前記ネットワーク機器から端末に指示するＣＳＩフィードバック配置群の数が複数であり、前記ＤＣＩには、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、各ＣＳＩフィードバック配置群が１つの搬送波集合に対応し、前記ＤＣＩには、１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から前記端末に指示されて１つまたは複数のＣＳＩフィードバック配置群を含むＣＳＩフィードバック配置群集合の数が複数であり、前記ＤＣＩには、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示するための指示情報を含む。
【００２２】
好ましくは、前記ネットワーク機器は、前記搬送波集合に配置するＣＳＩフィードバック配置群を前記端末に指示するための第３送信ユニットをさらに含む。
【００２３】
好ましくは、ＣＳＩフィードバック配置群のうちの最適なＣＳＩフィードバック配置の数は、予め決められる。または、ＣＳＩフィードバック配置群のうちの最適なＣＳＩフィードバック配置の数は、前記ＤＣＩに含まれる指示情報によって指示される。または、１つのＣＳＩフィードバック配置群のうちの最適なＣＳＩフィードバック配置の数は、配置パラメータとして当該ＣＳＩフィードバック配置群の配置パラメータに含まれる。または、１つのＣＳＩフィードバック配置群のうちの最適なＣＳＩフィードバック配置の数は、配置パラメータとして当該ＣＳＩフィードバック配置群の所属するＣＳＩフィードバック配置群集合の配置パラメータに含まれ、１つのＣＳＩフィードバック配置群集合における全てのＣＳＩフィードバック配置群のうちの最適なＣＳＩフィードバック配置の数が同一である。
【００２４】
本公開の実施例は、ネットワーク機器から指示される非周期的チャネル状態情報ＣＳＩフィードバック用のＣＳＩフィードバック配置群を受信するための第１受信ユニットと、前記ネットワーク機器から送信される下り制御情報ＤＣＩを受信するための第２受信ユニットと、前記ＤＣＩに基づいて、前記ＣＳＩフィードバック配置群のうちの最適なＣＳＩフィードバック配置をフィードバックして非周期的ＣＳＩフィードバックを行うためのフィードバックユニットとを含む端末を提供する。
【００２５】
好ましくは、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。
【００２６】
好ましくは、前記ネットワーク機器から端末に指示するＣＳＩフィードバック配置群の数が１つであり、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、前記ＤＣＩには、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示するための指示情報を含む。または、前記ネットワーク機器から端末に指示するＣＳＩフィードバック配置群の数が複数であり、前記ＤＣＩには、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、各ＣＳＩフィードバック配置群が１つの搬送波集合に対応し、前記ＤＣＩには、１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から前記端末に指示されて１つまたは複数のＣＳＩフィードバック配置群を含むＣＳＩフィードバック配置群集合の数が複数であり、前記ＤＣＩには、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示するための指示情報を含む。
【００２７】
好ましくは、前記端末は、前記ネットワーク機器から送信される指示情報を受信するための第３受信ユニットをさらに含む。前記指示情報は、前記搬送波集合に配置するＣＳＩフィードバック配置群を指示する。
【００２８】
好ましくは、ＣＳＩフィードバック配置群のうちの最適なＣＳＩフィードバック配置の数は、予め決められる。または、ＣＳＩフィードバック配置群のうちの最適なＣＳＩフィードバック配置の数は、前記ＤＣＩに含まれる指示情報によって指示される。または、１つのＣＳＩフィードバック配置群のうちの最適なＣＳＩフィードバック配置の数は、配置パラメータとして当該ＣＳＩフィードバック配置群の配置パラメータに含まれる。または、１つのＣＳＩフィードバック配置群のうちの最適なＣＳＩフィードバック配置の数は、配置パラメータとして当該ＣＳＩフィードバック配置群の所属するＣＳＩフィードバック配置群集合の配置パラメータに含まれ、１つのＣＳＩフィードバック配置群集合における全てのＣＳＩフィードバック配置群のうちの最適なＣＳＩフィードバック配置の数が同一である。
【発明の効果】
【００２９】
本公開の各実施例において、非周期的ＣＳＩフィードバック用のＣＳＩフィードバック配置群をネットワーク機器から端末に指示することと、前記ＣＳＩフィードバック配置群のうちの最適なＣＳＩフィードバック配置に基づく非周期的ＣＳＩフィードバックを端末に指示するためのＤＣＩをネットワーク機器から端末に送信することによって、端末の非周期的ＣＳＩフィードバック方式において、最適なＣＳＩフィードバック配置に対応するＣＳＩおよび当該ＣＳＩの位置情報の端末によるレポートをサポートする目的を実現することができる。
【図面の簡単な説明】
【００３０】
本公開の実施例や従来技術の技術手段をより明確に説明するために、以下、実施例の記載に必要とされる図面を簡単に説明する。明らかに、以下の記載に関する図面は、単に本公開の一部の実施例である。当業者にとって、創造性のある作業をしない前提で、これらの図面から他の図面を得ることもできる。
【００３１】
【図１Ａ】従来技術の水平配列の複分極アンテナの模式図である。
【図１Ｂ】従来技術の水平配列のリニアアレイアンテナの模式図である。
【図１Ｃ】従来技術の水平と垂直二次元配列の複分極アンテナの模式図である。
【図１Ｄ】従来技術の水平と垂直二次元配列のリニアアレイアンテナの模式図である。
【図２】本公開の実施例のネットワーク機器で実現されるチャネル状態情報取得方法のフローチャートである。
【図３】本公開の実施例の端末側で実現されるチャネル状態情報フィードバック方法のフローチャートである。
【図４】本公開の実施例によるネットワーク機器の構造模式図である。
【図５】本公開の実施例による端末の構造模式図である。
【図６】本公開の実施例による別のネットワーク機器の構造模式図である。
【図７】本公開の実施例による別の端末の構造模式図である。
【発明を実施するための形態】
【００３２】
以下、図面と実施例を参照しながら、本公開の具体的な実施形態をさらに記載する。以下の実施例は、本公開の説明に用いられ、本公開の範囲を限定するためのものではない。
【００３３】
本公開の実施例の目的、技術手段および利点をより明確にするために、以下、本公開の実施例の図面を参照しながら、本公開の実施例の技術手段を明確且つ完全に記載する。明らかに、記載する実施例は、本公開の実施例の一部であり、全てではない。記載する本公開の実施例に基づき、当業者が為しえる全ての実施例は、いずれも本公開の保護範囲に属するものである。
【００３４】
別途に定義することを除き、ここで使用される技術用語や科学用語は、本公開の所属する分野の一般技能を持つ者が理解する通常の意味である。本公開の明細書および特許請求の範囲に使用される「第１」、「第２」および類似用語は、単に異なる構成部分を区別するためのものであり、順番、数量または重要度をいっさい表さない。同様に、「１つ」または「一」などその他の類似用語は、少なくとも１つ存在することを表し、数の限定ではない。「接続」や「連結」などその他の類似用語は、物理や機械的接続に限定するのではなく、直接か間接かを関係なしに電気的接続も含む。「上」、「下」、「左」、「右」などは、相対的位置関係を表すものであり、記載対象の絶対位置が変わると、当該相対的位置関係も対応的に変わる。
【００３５】
以下、本公開の実施例の図面を参照しながら、本公開の実施例の技術手段を明確且つ完全に記載する。明らかに、記載する実施例は、本公開の実施例の一部であり、全てではない。本公開の実施例に基づき、当業者が為しえる全ての実施例は、本公開の保護範囲に属するものである。
【００３６】
チャネル状態情報（ＣＳＩ：Ｃｈａｎｎｅｌ  Ｃｏｎｄｉｔｉｏｎ  Ｉｎｆｏｒｍａｔｉｏｎ）には、ＣＱＩ（Ｃｈａｎｎｅｌ  Ｑｕａｌｉｔｙ  Ｉｎｄｉｃａｔｏｒ：チャネル品質指標）と、ＰＭＩ（Ｐｒｅｃｏｄｉｎｇ  Ｍａｔｒｉｘ  Ｉｎｄｉｃａｔｏｒ：プリコーディングマトリクス指標）と、ＲＩ（Ｒａｎｋ  Ｉｎｄｉｃａｔｉｏｎ：プリコーディングマトリクスのランク指標）を含む。
【００３７】
ＬＴＥ（Ｌｏｎｇ  Ｔｅｒｍ  Ｅｖｏｌｕｔｉｏｎ：長期的進化）システムでは、周期的ＣＳＩレポートと非周期的ＣＳＩレポートがサポートされる。周期的ＣＱＩレポートは、通常ＰＵＣＣＨ（Ｐｈｙｓｉｃａｌ  Ｕｐｌｉｎｋ  Ｃｏｎｔｒｏｌ  Ｃｈａｎｎｅｌ：物理上りリンク制御チャネル）で行われるが、非周期的レポートは、ＰＵＳＣＨ（Ｐｈｙｓｉｃａｌ  Ｕｐｌｉｎｋ  Ｓｈａｒｅｄ  Ｃｈａｎｎｅｌ：物理上りリンクシェアドチャネル）で行われる。
【００３８】
ＬＴＥシステムでは、多地点協調（Ｃｏｏｒｄｉｎａｔｅｄ  Ｍｕｌｔｉ−ｐｏｉｎｔ：ＣｏＭＰ）をサポートするために、ＣＳＩプロセスの概念を導入している。各ＣＳＩプロセスは、１つのＮＺＰ  ＣＳＩ−ＲＳ（ＮＺＰ（Ｎｏｎ−Ｚｅｒｏ  Ｐｏｗｅｒ）：非零パワー；ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）：チャネル状態情報参考信号）配置と１つの干渉測定リソース（ｉｎｔｅｒｆｅｒｅｎｃｅ  ｍｅａｓｕｒｅｍｅｎｔ  ｒｅｓｏｕｒｃｅ：ＩＭＲ）配置に対応する。端末は、そのうちのＮＺＰ  ＣＳＩ−ＲＳに基づいてチャネル測定を行い、対応するＩＭＲで干渉測定を行うことによって、各プロセスに対応するＣＳＩを取得してフィードバックする。各ＬＴＥ端末では、最大で３つのＣＳＩプロセスを配置してＣＳＩフィードバックに用いることができる。
【００３９】
端末のＣＳＩフィードバックは、ＰＵＣＣＨに基づいて周期的ＣＳＩフィードバックを行い、または、ＰＵＳＣＨに基づいて非周期的ＣＳＩフィードバックを行う。非周期的ＣＳＩフィードバックの場合、ネットワーク機器は、１つのＣＳＩプロセス集合のうちの各ＣＳＩプロセスに対応するＣＳＩの端末によるレポートをトリガーとすることができる。ここで、ＣＳＩプロセス集合は、ハイレイヤシグナリングによって予め端末に配置されるが、トリガープロセスは、ＤＣＩ（Ｄｏｗｎｌｉｎｋ  Ｃｏｎｔｒｏｌ  Ｉｎｄｉｃａｔｏｒ：下り制御情報）によって実現される。複数のＣＳＩプロセス集合を配置することにより、異なる垂直フォーミングベクトルによるフォーミング後の複数のＣＳＩ−ＲＳに対応するＣＳＩを端末にフィードバックさせることができる。
【００４０】
本公開の各実施例において、非周期的ＣＳＩフィードバック用のＣＳＩフィードバック配置群をネットワーク機器から端末に指示して端末にＤＣＩを送信し、端末がネットワーク機器から送信されるＤＣＩに基づいて、ネットワーク機器から指示されるＣＳＩフィードバック配置群から最適なＣＳＩフィードバック配置を確定して非周期的ＣＳＩフィードバックを行う。よって、端末の非周期的ＣＳＩフィードバック方式において、最適なＣＳＩフィードバック配置に対応するＣＳＩおよび当該ＣＳＩの位置情報の端末によるレポートをサポートする目的を実現することができる。
【００４１】
図２に示す本公開の実施例のネットワーク機器で実現されるチャネル状態情報取得方法は、以下のステップを含む。ステップ１０１において、非周期的ＣＳＩフィードバック用のＣＳＩフィードバック配置群をネットワーク機器から端末に指示する。ステップ１０２において、前記ＣＳＩフィードバック配置群のうちの最適なＣＳＩフィードバック配置に基づく非周期的ＣＳＩフィードバックを前記端末に指示するための下り制御情報ＤＣＩを前記ネットワーク機器から前記端末に送信する。
【００４２】
ステップ１０１において、ネットワーク機器から非周期的ＣＳＩフィードバック用のＣＳＩフィードバック配置群を端末に指示する指示情報は、ハイレイヤシグナリングによって送信される。即ち、ネットワーク機器は、ハイレイヤシグナリングによって、ＣＳＩフィードバック用のＣＳＩフィードバック配置群を端末に配置することができる。
【００４３】
ＣＳＩフィードバック配置群は、以下数種類の特徴のうちの１つまたはその組み合わせを有する。
・ネットワーク機器から指示されるＣＳＩフィードバック用のＣＳＩフィードバック配置群の数は、１つまたは複数である。例えば、ネットワーク機器は、３つのＣＳＩフィードバック配置群を配置することができる。
・ネットワーク機器から指示されるＣＳＩフィードバック用のＣＳＩフィードバック配置群集合の数は、１つまたは複数であり、１つのＣＳＩフィードバック配置群集合に１つまたは複数のＣＳＩフィードバック配置群を含む。例えば、ネットワーク機器は、３つのＣＳＩフィードバック配置群集合を配置することができる。
・１つのＣＳＩフィードバック配置群に１つまたは複数のＣＳＩフィードバック配置を含み、１つのＣＳＩフィードバック配置は、１つのＣＳＩプロセスであり、または、１つのＮＺＰ  ＣＳＩ−ＲＳリソース配置であり、または、それ以外の下り測定とＣＳＩフィードバック用の１つの信号配置である。例えば、各ＣＳＩフィードバック配置群は、４つのＮＺＰ  ＣＳＩ−ＲＳリソース配置を含む。
・ＣＳＩフィードバック配置群には、当該ＣＳＩフィードバック配置群のうちの全てのＣＳＩフィードバック配置に関連する配置情報を含み、または、当該ＣＳＩフィードバック配置群のうちの全てのＣＳＩプロセスに関連する配置情報を含む。例えば、ＣＳＩフィードバック配置群には、複数のＣＳＩフィードバック配置を含むほか、当該複数のＣＳＩフィードバック配置に共通して関連するＩＭＲ情報をさらに含む。
・マルチキャリアの場合、ネットワーク機器は、搬送波毎に１つのＣＳＩフィードバック配置群を配置し、または、全ての搬送波に１つのＣＳＩフィードバック配置群を配置する。
・異なるＣＳＩフィードバック配置に含まれるＮＺＰ  ＣＳＩ−ＲＳは、異なるフォーミングベクトルでビームフォーミングを行うことができる。
【００４４】
ステップ１０２において、ネットワーク機器は、端末による非周期的ＣＳＩフィードバックをＤＣＩによってトリガーし、端末は、ＣＳＩフィードバック配置群のうちの最適なＣＳＩフィードバック配置に基づいてＣＳＩフィードバックを行う。
【００４５】
ステップ１０２において、ネットワーク機器から送信される前記ＤＣＩには、指示情報を含み、前記指示情報は、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示する。
【００４６】
ステップ１０２において、ネットワーク機器は、ＤＣＩに含まれる指示情報によって、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう端末に指示するが、その具体的な実施形態は、以下方式ａ１〜方式ａ５のうちの一つを含む。
【００４７】
方式ａ１）ネットワーク機器から端末に指示するＣＳＩフィードバック配置群の数が１つである。この場合、ネットワーク機器から端末に送信するＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。
【００４８】
ネットワークリソースコスト節約のために、指示情報は、１ビットのビット系列であることが好ましい。例えば、当該ビット系列の値が１または０を取るとき、「端末が、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックする」ことを表すと定義することができる。
【００４９】
方式ａ２）ネットワーク機器から端末に指示するＣＳＩフィードバック配置群の数が複数である。この場合、ネットワーク機器から端末に送信するＤＣＩには、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示するための指示情報を含む。
【００５０】
ネットワークリソースコスト節約のために、指示情報は、２ビットのビット系列であることが好ましい。ネットワーク機器は、当該２ビットのビット系列によって、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示し、または、当該２ビットのビット系列によって、非周期的ＣＳＩフィードバックを行わないことを端末に指示する。指示情報は、表１に示される。
【００５１】
【表１】
2018520571.tif 000003
【００５２】
表１に示すように、２ビットのビット系列が００、０１である場合、「他の用途」と示すが、２ビットのビット系列が１０である場合、「全てのＣＳＩフィードバック配置群のうちの各ＣＳＩフィードバック配置群のうちの最適なＣＳＩフィードバック配置に基づいたそれぞれのＣＳＩ測定によるＣＳＩおよび前記最適なＣＳＩフィードバック配置の前記ＣＳＩフィードバック配置群における位置情報をそれぞれフィードバックする」ことを示し、２ビットのビット系列が１１である場合、「非周期的ＣＳＩフィードバックを行わない」ことを示す。
【００５３】
上記表１において、指示情報の値の定義は、例示的なものであり、他の定義方法もあるが、ここで枚挙しない。
【００５４】
方式ａ３）ネットワーク機器から端末に指示するＣＳＩフィードバック配置群の数が複数である。この場合、ネットワーク機器から端末に指示するＤＣＩには、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。
【００５５】
ネットワークリソースコスト節約のために、指示情報は、２ビットのビット系列であることが好ましい。ネットワーク機器は、当該２ビットのビット系列によって、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示し、または、当該２ビットのビット系列によって、非周期的ＣＳＩフィードバックを行わないことを端末に指示する。指示情報は、表２に示される。
【００５６】
【表２】
2018520571.tif 000004
【００５７】
表２に示すように、２ビットのビット系列が００である場合、「ＣＳＩフィードバック配置群１のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックする」ことを示し、２ビットのビット系列が０１である場合、「ＣＳＩフィードバック配置群２のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックする」ことを示し、２ビットのビット系列が１０である場合、「ＣＳＩフィードバック配置群３のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックする」ことを示し、２ビットのビット系列が１１である場合、「非周期的ＣＳＩフィードバックを行わない」ことを示す。
【００５８】
上記表２において、指示情報の値の定義は、例示的なものであり、他の定義方法もあるが、ここで枚挙しない。
【００５９】
方式ａ４）ネットワーク機器に複数の搬送波集合が配置される場合、搬送波集合に１つまたは複数の搬送波集合を含む。従って、ネットワーク機器は、さらにハイレイヤシグナリングまたは他の方式で搬送波集合配置のＣＳＩフィードバック配置群を端末に指示する。
【００６０】
ネットワーク機器から端末に指示するＣＳＩフィードバック配置群の数が複数である。この場合、ネットワーク機器から端末に送信するＤＣＩには、前記１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。
【００６１】
ネットワークリソースコスト節約のために、指示情報は、２ビットのビット系列であることが好ましい。ネットワーク機器は、当該２ビットのビット系列によって、前記１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示し、または、当該２ビットのビット系列によって、非周期的ＣＳＩフィードバックを行わないことを端末に指示する。指示情報は、表３に示される。
【００６２】
【表３】
2018520571.tif 000005
【００６３】
表３に示すように、２ビットのビット系列が００である場合、「搬送波集合１に対応するＣＳＩフィードバック配置群のうちの１つのＣＳＩフィードバック配置群の最適なＣＳＩフィードバック配置に基づいたＣＳＩ測定によるＣＳＩおよび前記最適なＣＳＩフィードバック配置の前記ＣＳＩフィードバック配置群における位置情報をフィードバックする」ことを示し、２ビットのビット系列が０１である場合、「搬送波集合２に対応するＣＳＩフィードバック配置群のうちの１つのＣＳＩフィードバック配置群の最適なＣＳＩフィードバック配置に基づいたＣＳＩ測定によるＣＳＩおよび前記最適なＣＳＩフィードバック配置の前記ＣＳＩフィードバック配置群における位置情報をフィードバックする」ことを示し、２ビットのビット系列が１０である場合、「搬送波集合３に対応するＣＳＩフィードバック配置群のうちの１つのＣＳＩフィードバック配置群の最適なＣＳＩフィードバック配置に基づいたＣＳＩ測定によるＣＳＩおよび前記最適なＣＳＩフィードバック配置の前記ＣＳＩフィードバック配置群における位置情報をフィードバックする」ことを示し、２ビットのビット系列が１１である場合、「非周期的ＣＳＩフィードバックを行わない」ことを示す。
【００６４】
上記表３において、指示情報の値の定義は、例示的なものであり、他の定義方法もあるが、ここで枚挙しない。
【００６５】
方式ａ５）ネットワーク機器から端末に指示するＣＳＩフィードバック配置群集合の数が複数である。ここで、前記ＣＳＩフィードバック配置群集合は、前記ネットワーク機器から前記端末に指示される。前記ＣＳＩフィードバック配置群集合には、１つまたは複数のＣＳＩフィードバック配置群を含む。この場合、ネットワーク機器から端末に送信するＤＣＩには、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示するための指示情報を含む。
【００６６】
ネットワークリソースコスト節約のために、指示情報は、２ビットのビット系列であることが好ましい。ネットワーク機器は、当該２ビットのビット系列によって、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示する。ここで、前記ＣＳＩフィードバック配置群集合は、前記ネットワーク機器から前記端末に指示され、前記ＣＳＩフィードバック配置群集合には、１つまたは複数のＣＳＩフィードバック配置群を含む。または、ネットワーク機器は、当該２ビットのビット系列によって、非周期的ＣＳＩフィードバックを行わないことを端末に指示する。指示情報は、表４に示される。
【００６７】
【表４】
2018520571.tif 000006
【００６８】
表４に示すように、２ビットのビット系列が００である場合、「ＣＳＩフィードバック配置群集合１のうちの各ＣＳＩフィードバック配置群のうちの最適なＣＳＩフィードバック配置に基づいたそれぞれのＣＳＩ測定によるＣＳＩおよび前記最適なＣＳＩフィードバック配置の前記ＣＳＩフィードバック配置群における位置情報をそれぞれフィードバックする」ことを示し、２ビットのビット系列が０１である場合、「ＣＳＩフィードバック配置群集合２のうちの各ＣＳＩフィードバック配置群のうちの最適なＣＳＩフィードバック配置に基づいたそれぞれのＣＳＩ測定によるＣＳＩおよび前記最適なＣＳＩフィードバック配置の前記ＣＳＩフィードバック配置群における位置情報をそれぞれフィードバックする」ことを示し、２ビットのビット系列が１０である場合、「ＣＳＩフィードバック配置群集合３のうちの各ＣＳＩフィードバック配置群のうちの最適なＣＳＩフィードバック配置に基づいたそれぞれのＣＳＩ測定によるＣＳＩおよび前記最適なＣＳＩフィードバック配置の前記ＣＳＩフィードバック配置群における位置情報をそれぞれフィードバックする」ことを示し、２ビットのビット系列が１１である場合、「非周期的ＣＳＩフィードバックを行わない」ことを示す。
【００６９】
上記表４において、指示情報の値の定義は、例示的なものであり、他の定義方法もあるが、ここで枚挙しない。
【００７０】
さらに、１つのＣＳＩフィードバック配置群のうちの最適なＣＳＩフィードバック配置の数は、１つまたは複数であり、予めネットワーク側と端末側に決められてもよく、ネットワーク機器から端末に指示されてもよい。
【００７１】
具体的に、ネットワーク機器のＣＳＩフィードバック配置群のうちの最適なＣＳＩフィードバック配置の数の具体的な実現形態は、以下の方式ｂ１〜方式ｂ３のうちのひとつを含む。
【００７２】
方式ｂ１）ＣＳＩフィードバック配置群のうちの最適なＣＳＩフィードバック配置の数は、ネットワーク機器から送信される前記ＤＣＩに含まれる指示情報によって指示される。例えば、前記ＤＣＩには、１ビットの情報によって、当該ＣＳＩフィードバック配置群のうちの最適なＣＳＩフィードバック配置の数を指示する。
【００７３】
方式ｂ２）１つのＣＳＩフィードバック配置群のうちの最適なＣＳＩフィードバック配置の数は、配置パラメータとして当該ＣＳＩフィードバック配置群の配置パラメータに含まれる。ＣＳＩフィードバック配置群のうちの最適なＣＳＩフィードバック配置の数は、当該ＣＳＩフィードバック配置群の配置パラメータとして端末に指示されることが好ましい。例えば、ネットワーク機器から指示されるＣＳＩフィードバック用のＣＳＩフィードバック配置群の配置パラメータには、当該ＣＳＩフィードバック配置群のうちの最適なＣＳＩフィードバック配置の数をさらに含む。
【００７４】
方式ｂ３）１つのＣＳＩフィードバック配置群のうちの最適なＣＳＩフィードバック配置の数は、配置パラメータとして当該ＣＳＩフィードバック配置群の所属するＣＳＩフィードバック配置群集合の配置パラメータに含まれ、１つのＣＳＩフィードバック配置群集合における全てのＣＳＩフィードバック配置群のうちの最適なＣＳＩフィードバック配置の数が同一である。
【００７５】
ステップ１０２の後に、端末は、ネットワーク機器によって配置される非周期的チャネル状態情報ＣＳＩフィードバック用のＣＳＩフィードバック配置群、およびネットワーク機器から送信されるＤＣＩに基づいて、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックする。
【００７６】
ここで、前記最適なＣＳＩフィードバック配置の前記ＣＳＩフィードバック配置群における位置情報は、具体的に、最適なＣＳＩフィードバック配置の当該ＣＳＩフィードバック配置群におけるインデックスである。即ち、端末は、最適なＣＳＩフィードバック配置の当該ＣＳＩフィードバック配置群におけるインデックスをレポートする。
【００７７】
前記最適なＣＳＩフィードバック配置の前記ＣＳＩフィードバック配置群における位置情報は、ビットマップ（ｂｉｔｍａｐ）方式を採用してもよい。即ち、各ＣＳＩフィードバック配置が１つの位置系列に対応する。当該ＣＳＩフィードバック配置群における各ＣＳＩフィードバック配置は、当該位置系列において１つの位置に対応し、即ち、当該ＣＳＩフィードバック配置群における各ＣＳＩフィードバック配置は、当該位置系列において１つのビットに対応する。最適なＣＳＩフィードバック配置の当該ＣＳＩフィードバック配置群における位置情報は、具体的に、最適なＣＳＩフィードバック配置の当該ＣＳＩフィードバック配置群の位置系列における対応位置のビット値である。例えば、最適なＣＳＩフィードバック配置の当該ＣＳＩフィードバック配置群の位置系列における対応位置のビット値を１とし、当該位置系列のほかの位置のビット値を０としたとき、当該位置系列におけるビット値によって、最適なＣＳＩフィードバック配置の当該ＣＳＩフィードバック配置群における位置情報を確定することができる。
【００７８】
ネットワーク機器は、端末からフィードバックされる前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報を受信してから、前記端末からフィードバックされる最適なＣＳＩフィードバック配置に対応するＣＳＩと位置に基づいて下りプリコーディングをさらに行ってもよい。具体的に、ネットワーク機器は、端末からフィードバックされるＣＳＩに基づいて第１次元のプリコーディングを行い、端末からフィードバックされる最適なＣＳＩフィードバック配置のＣＳＩフィードバック配置群における位置情報に対応するフォーミングベクトルを利用して第２次元のプリコーディングを行う。ネットワーク機器は、当該２つの次元のプリコーディングに基づいて、水平方向と垂直方向のビームフォーミングを行うことができるため、より高いフォーミングゲインを取得してシステムスペクトル効率を向上させることができる。
【００７９】
ネットワーク機器は、端末からフィードバックされる前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報を受信してから、端末からフィードバックされる最適なＣＳＩフィードバック配置における位置情報に基づいてＰＵＣＣＨのＣＳＩフィードバック配置情報を更新してもよく、周期的ＣＳＩフィードバックのＣＳＩフィードバック配置更新を実現することができる。
【００８０】
以上の記載から、ネットワーク機器は、非周期的ＣＳＩフィードバック用のＣＳＩフィードバック配置群を端末に指示し、端末は、ネットワークから送信されるＤＣＩに基づいて、ネットワーク機器から指示されるＣＳＩフィードバック配置群から最適なＣＳＩフィードバック配置を確定して非周期的ＣＳＩフィードバックを行う。それによって、端末の非周期的ＣＳＩフィードバック方式において、最適なＣＳＩフィードバック配置に対応するＣＳＩおよび当該ＣＳＩの対応する位置情報の端末によるレポートをサポートする目的を実現する。同時に、ネットワーク機器は、端末からフィードバックされる最適なＣＳＩフィードバック配置に対応するＣＳＩおよび当該ＣＳＩの位置情報に基づいて、水平と垂直の両方向の最適なビームフォーミングを確定し、より高いフォーミングゲインを取得してシステムスペクトル効率を向上させることができる。
【００８１】
同一思想に基づいて、図３に示す本公開の実施例の端末で実現されるチャネル状態情報フィードバック方法は、以下のステップを含む。ステップ２０１において、端末は、ネットワーク機器から指示される非周期的チャネル状態情報ＣＳＩフィードバック用のＣＳＩフィードバック配置群を受信する。ステップ２０２において、前記端末は、前記ネットワーク機器から送信される下り制御情報ＤＣＩを受信し、前記ＤＣＩに基づいて、前記ＣＳＩフィードバック配置群のうちの最適なＣＳＩフィードバック配置をフィードバックして非周期的ＣＳＩフィードバックを行う。
【００８２】
ステップ２０１において、ネットワーク機器から指示される非周期的チャネル状態情報ＣＳＩフィードバック用のＣＳＩフィードバック配置群は、ハイレイヤシグナリングによって端末に送信される。
【００８３】
ネットワーク機器から指示されるＣＳＩフィードバック配置群は、複数種類の特徴のうちの１つまたはその組み合わせを有し、既に詳細に記載しているため、ここでは繰り返して記載しない。
【００８４】
ステップ２０２において、端末は、前記ネットワーク機器から送信される下り制御情報ＤＣＩを受信し、前記ＤＣＩに基づいて、前記ＣＳＩフィードバック配置群のうちの最適なＣＳＩフィードバック配置をフィードバックして非周期的ＣＳＩフィードバックを行う。
【００８５】
ステップ２０２において、端末が受信するネットワーク機器からのＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。
【００８６】
ステップ２０２において、端末は、ネットワーク機器から送信されるＤＣＩのうちの指示情報に基づいて、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするが、その具体的な実現形態は、既に詳細に記載しているため、ここでは繰り返して記載しない。
【００８７】
さらに、１つのＣＳＩフィードバック配置群のうちの最適なＣＳＩフィードバック配置の数は、１つまたは複数であり、ネットワーク側と端末側に予め決められてもよく、ネットワーク機器から端末に指示されてもよい。端末からネットワーク機器にＣＳＩフィードバック配置群のうちの最適なＣＳＩフィードバック配置の数をフィードバックするが、既に詳細に記載しているため、ここでは繰り返して記載しない。
【００８８】
ステップ２０２において、端末は、１つのＣＳＩフィードバック配置群のうちの最適なＣＳＩフィードバック配置を確定することにあたり、方式ｃ１〜方式ｃ３のうちのいずれ一つを採用してもよい。
【００８９】
方式ｃ１）端末は、ＣＳＩフィードバック配置群のうちの各ＣＳＩフィードバック配置に基づいて、ＲＳＲＰ（Ｒｅｆｅｒｅｎｃｅ  Ｓｉｇｎａｌ  Ｒｅｃｅｉｖｉｎｇ  Ｐｏｗｅｒ：参考信号受信電力）測定を行い、各ＣＳＩフィードバック配置のＲＳＲＰ測定値に対応するＣＳＩフィードバック配置に基づいて、ＲＳＲＰ測定最大値に対応するＣＳＩフィードバック配置を、ＣＳＩフィードバック配置群のうちの最適なＣＳＩフィードバック配置として確定する。
【００９０】
方式ｃ２）端末は、ＣＳＩフィードバック配置群のうちの各ＣＳＩフィードバック配置に基づいて、ＣＱＩ推定を行い、各ＣＳＩフィードバック配置のＣＱＩ推定値に対応するＣＳＩフィードバック配置に基づいて、ＣＱＩ推定最大値に対応するＣＳＩフィードバック配置を、ＣＳＩフィードバック配置群のうちの最適なＣＳＩフィードバック配置として確定する。
【００９１】
方式ｃ３）端末は、ＣＳＩフィードバック配置群のうちの各ＣＳＩフィードバック配置に基づいて、ＣＳＩ測定を行い、各ＣＳＩフィードバック配置のＣＳＩ測定値に対応するＴＢｓｉｚｅ（Ｔｒａｎｓｐｏｒｔ  Ｂｌｏｃｋ  ｓｉｚｅ：伝送ブロックサイズ）に基づいて、ＴＢｓｉｚｅ最大値に対応するＣＳＩフィードバック配置を、ＣＳＩフィードバック配置群のうちの最適なＣＳＩフィードバック配置として確定する。
【００９２】
ステップ２０２において、端末からネットワーク機器に対し、ＣＳＩフィードバック配置群の複数の最適なＣＳＩフィードバック配置に基づいたＣＳＩ測定によるＣＳＩおよび前記最適なＣＳＩフィードバック配置の前記ＣＳＩフィードバック配置群における位置情報の同時フィードバックが必要である場合、端末は、各ＣＳＩフィードバック配置群のうちの最適なＣＳＩフィードバック配置に対応するＣＳＩおよび当該最適なＣＳＩフィードバック配置の当該ＣＳＩフィードバック配置群における位置情報を逐次結合してネットワーク機器にフィードバックする。例えば、｛ＣＳＩフィードバック配置群１のインデックス、ＣＳＩフィードバック配置群２のインデックス…｝の方式でネットワーク機器にフィードバックする。本公開の実施例では、複数の最適なＣＳＩフィードバック配置のインデックス情報の逐次結合について、具体的に限定しない。
【００９３】
ステップ２０２の後に、端末は、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックする。ここで、最適なＣＳＩフィードバック配置のＣＳＩフィードバック配置群における位置情報の確定は、既に詳細に記載しているため、ここでは繰り返して記載しない。
【００９４】
ステップ２０２の後に、端末は、最適なＣＳＩフィードバック配置のＣＳＩフィードバック配置群における位置情報を確定してから、確定したＣＳＩフィードバック配置のＣＳＩフィードバック配置群における位置とＣＳＩフィードバック配置群のうちのＲＩ（Ｒａｎｋ  Ｉｎｄｉｃａｔｉｏｎ：ランク指標）のカスケーディング符号化を行ってから、ＲＩのリソースマッピング方式に従ってリソースマッピングを行い、または、確定したＣＳＩフィードバック配置のＣＳＩフィードバック配置群における位置とＣＳＩフィードバック配置群のうちのＲＩのジョイント符号化を行ってから、ＲＩのリソースマッピング方式に従ってリソースマッピングを行う。
【００９５】
端末は、最適なＣＳＩフィードバック配置のＣＳＩフィードバック配置群における位置情報を確定してから、確定したＣＳＩフィードバック配置のＣＳＩフィードバック配置群における位置とＣＳＩフィードバック配置群のうちのＣＱＩ（Ｃｈａｎｎｅｌｓ  ｑｕａｌｉｔｙ  ｉｎｄｉｃａｔｉｏｎ：チャネル品質指標）のカスケーディング符号化を行ってから、ＣＱＩのリソースマッピング方式に従って、データと多重化してからリソースマッピングを行い、または、確定したＣＳＩフィードバック配置のＣＳＩフィードバック配置群における位置とＣＳＩフィードバック配置群のうちのＣＱＩのジョイント符号化を行ってから、ＣＱＩのリソースマッピング方式に従って、データと多重化してからリソースマッピングを行う。
【００９６】
以上の記載から、ネットワーク機器は、非周期的チャネル状態情報ＣＳＩフィードバック用のＣＳＩフィードバック配置群を端末に指示し、端末は、ネットワークから送信されるＤＣＩに基づいて、ネットワーク機器から指示されるＣＳＩフィードバック配置群から最適なＣＳＩフィードバック配置を確定して非周期的ＣＳＩフィードバックを行う。それによって、端末の非周期的ＣＳＩフィードバック方式において、最適なＣＳＩフィードバック配置に対応するＣＳＩおよび当該ＣＳＩの位置情報の端末によるレポートをサポートする目的を実現する。同時に、ネットワーク機器は、端末からフィードバックされる最適なＣＳＩフィードバック配置に対応するＣＳＩおよび当該ＣＳＩの位置情報に基づいて、水平と垂直の両方向の最適なビームフォーミングを確定し、より高いフォーミングゲインを取得してシステムスペクトル効率を向上させることができる。
【００９７】
以下、具体的に２つの実施例を提供して本公開の実施例による方法を説明する。
【００９８】
実施例１
ネットワーク機器は、非周期的ＣＳＩフィードバック用の３つのＣＳＩフィードバック配置をハイレイヤシグナリングによって端末に指示し、各ＣＳＩフィードバック配置に１つのＣＳＩ−ＲＳ配置と１つのＩＭＲ配置を含む。各ＣＳＩフィードバック配置のうちのＣＳＩ−ＲＳは、異なる垂直フォーミングベクトルを用いてフォーミングを行う。
【００９９】
ネットワーク機器は、ＰＤＳＣＨのＤＣＩをスケジューリングすることによって、端末による非周期的ＣＳＩフィードバックをトリガーとする。トリガーシグナリングには、１ビットを含む。指示情報が０であると、端末による非周期的ＣＳＩフィードバックが必要ではない。一方、指示情報が１であると、端末による非周期的ＣＳＩフィードバックが必要である。
【０１００】
ＤＣＩトリガーシグナリングのうちのビット指示が１であると、端末は、当該トリガーシグナリングを受信すると、ネットワーク機器によって配置される３つのＣＳＩフィードバック配置に基づいてそれぞれＣＳＩ測定を行い、３つの配置にそれぞれ対応するＲＩ、ＰＭＩ、ＣＱＩを取得し、当該ＣＳＩに基づいて、各配置に対応するＴＢｓｉｚｅを算出することができる。
【０１０１】
端末は、ＴＢｓｉｚｅ最大値に対応するＣＳＩフィードバック配置を最適なＣＳＩフィードバック配置として、当該配置で取得したＲＩ、ＰＭＩ、ＣＱＩおよび当該配置のフィードバック配置群におけるインデックスを基地局にレポートする。
【０１０２】
具体的に、当該インデックスとＲＩのジョイント符号化を行って、符号化後のデータを、ＲＩに保留した物理リソースにマッピングする。ＬＴＥにおける当該リソース領域をある程度拡張させることによって、より多くのビットをサポートすることができる。
【０１０３】
基地局は、ＲＩ、ＰＭＩ、ＣＱＩを受信すると、ＰＭＩを用いて水平方向のデータプリコーディングを行い、インデックスに対応するＣＳＩフィードバック配置のうちのＣＳＩ−ＲＳに使用される垂直フォーミングベクトルをデータの垂直フォーミングベクトルとする。
【０１０４】
実施例２
ネットワーク機器は、端末の多地点協調伝送を行う伝送地点集合および伝送が行われる搬送波集合を確定し、伝送地点集合における各伝送地点に対応するＣＳＩフィードバック配置群を確定する。各伝送地点は、異なる搬送波で異なるまたは同一のＣＳＩフィードバック配置群に対応し、全てのＣＳＩフィードバック配置群によってＣＳＩフィードバック配置群の総集合を構成する。
【０１０５】
ネットワーク機器は、非周期的ＣＳＩフィードバック用の３つのＣＳＩフィードバック配置群集合をハイレイヤシグナリングによって端末に指示し、各集合が前記総集合のサブ集合である。ここで、各配置群が１つの伝送地点と１つの搬送波に対応する。各ＣＳＩフィードバック配置群に１つまたは複数のＣＳＩフィードバック配置を含む。例えば、１つのＣＳＩフィードバック配置群に複数のＣＳＩ−ＲＳ配置を含み、各ＣＳＩ−ＲＳ配置が同一のＩＭＲ配置に対応する。
【０１０６】
基地局は、ＰＤＳＣＨのＤＣＩをスケジューリングすることによって、端末による非周期的ＣＳＩフィードバックをトリガーとする。トリガーシグナリングに２ビット情報を含み、２ビットの指示内容を表５に示す。
【０１０７】
【表５】
2018520571.tif 000007
【０１０８】
端末が２ビットのトリガーシグナリング「１０」を受信すると、端末は、ＣＳＩフィードバック配置群集合３に含まれる各ＣＳＩフィードバック配置群の最適なＣＳＩ−ＲＳに対し、それぞれＲＳＲＰ測定を行い、ＲＳＲＰ最大値のＣＳＩ−ＲＳ配置を最適なＣＳＩ−ＲＳ配置とする。または、端末は、ＣＳＩフィードバック配置群集合３に含まれる各ＣＳＩフィードバック配置群の最適なＣＳＩ−ＲＳに対し、それぞれＣＱＩ推定を行い、ＣＱＩ推定最大値のＣＳＩ−ＲＳ配置を最適なＣＳＩ−ＲＳ配置とする。または、端末は、ＣＳＩフィードバック配置群集合３に含まれる各ＣＳＩフィードバック配置群の最適なＣＳＩ−ＲＳに対し、それぞれＣＳＩ測定を行い、ＣＳＩ測定に対応するＴＢｓｉｚｅ最大値に対応するＣＳＩ−ＲＳ配置を最適なＣＳＩ−ＲＳ配置とする。
【０１０９】
端末は、各配置群の最適なＣＳＩ−ＲＳ配置に基づいてＣＳＩ測定を行い、各配置群のＲＩ、ＰＭＩ、ＣＱＩおよび当該最適なＣＳＩ−ＲＳの所属配置群におけるインデックスを取得する。
【０１１０】
端末は、各配置群のＲＩ、ＰＭＩ、ＣＱＩおよびインデックスをカスケーディングしてから基地局へレポートする。具体的なレポート順番は、｛ＣＳＩフィードバック配置群１のインデックス、ＣＳＩフィードバック配置群１のＲＩ、ＰＭＩ、ＣＱＩ、ＣＳＩフィードバック配置群２のインデックス、ＣＳＩフィードバック配置群２のＲＩ、ＰＭＩ、ＣＱＩ…｝である。
【０１１１】
基地局は、各配置群のＲＩ、ＰＭＩ、ＣＱＩおよびインデックスを受信すると、各端末に対し、その協調伝送地点集合のうちの伝送地点に対応する配置群から、配置群に対応するＣＳＩに基づいて最適な配置群を見つけ出し、当該最適な配置群に対応する伝送地点を端末のＰＤＳＣＨ伝送地点とし、当該最適な配置群に対応するＣＳＩを下り伝送用のＣＳＩとし、当該最適な配置群に対応するインデックスで示すＣＳＩ−ＲＳに使用されるフォーミングベクトルを、下り伝送のフォーミングベクトルとする。
【０１１２】
同一思想に基づいて、図４には、上記方法フローを実行するための本公開の実施例によるネットワーク機器が例示される。図４に示すように、本公開の実施例によるネットワーク機器は、第１送信ユニット３０１と、第２送信ユニット３０２と、第３送信ユニット３０３と、処理ユニット３０４とを含む。第１送信ユニット３０１は、非周期的チャネル状態情報ＣＳＩフィードバック用のＣＳＩフィードバック配置群を端末に指示する。第２送信ユニット３０２は、前記ＣＳＩフィードバック配置群のうちの最適なＣＳＩフィードバック配置に基づく非周期的ＣＳＩフィードバックを前記端末に指示するための下り制御情報ＤＣＩを前記端末に送信する。
【０１１３】
さらに、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。
【０１１４】
さらに、前記最適なＣＳＩフィードバック配置の前記ＣＳＩフィードバック配置群における位置情報は、具体的に、最適なＣＳＩフィードバック配置の前記ＣＳＩフィードバック配置群におけるインデックス、または、最適なＣＳＩフィードバック配置の前記ＣＳＩフィードバック配置群の位置系列における対応位置のビット値であり、ここで、前記ＣＳＩフィードバック配置群のうちの各ＣＳＩフィードバック配置が前記位置系列における１つの位置に対応する。
【０１１５】
さらに、前記ネットワーク機器から端末に指示するＣＳＩフィードバック配置群の数が１つであり、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、前記ＤＣＩには、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示するための指示情報を含む。または、前記ネットワーク機器から端末に指示するＣＳＩフィードバック配置群の数が複数であり、前記ＤＣＩには、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、各ＣＳＩフィードバック配置群が１つの搬送波集合に対応し、前記ＤＣＩには、１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から前記端末に指示されて１つまたは複数のＣＳＩフィードバック配置群を含むＣＳＩフィードバック配置群集合の数が複数であり、前記ＤＣＩには、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示するための指示情報を含む。
【０１１６】
さらに、ネットワーク機器は、前記搬送波集合に配置するＣＳＩフィードバック配置群を前記端末に指示するための第３送信ユニット３０３を含む。
【０１１７】
さらに、ＣＳＩフィードバック配置群のうちの最適なＣＳＩフィードバック配置の数は、予め決められる。または、ＣＳＩフィードバック配置群のうちの最適なＣＳＩフィードバック配置の数は、前記ＤＣＩに含まれる指示情報によって指示される。または、１つのＣＳＩフィードバック配置群のうちの最適なＣＳＩフィードバック配置の数は、配置パラメータとして当該ＣＳＩフィードバック配置群の配置パラメータに含まれる。または、１つのＣＳＩフィードバック配置群のうちの最適なＣＳＩフィードバック配置の数は、配置パラメータとして当該ＣＳＩフィードバック配置群の所属するＣＳＩフィードバック配置群集合の配置パラメータに含まれ、１つのＣＳＩフィードバック配置群集合における全てのＣＳＩフィードバック配置群のうちの最適なＣＳＩフィードバック配置の数が同一である。
【０１１８】
さらに、ネットワーク機器は、前記端末からフィードバックされる最適なＣＳＩフィードバック配置に対応するＣＳＩと位置情報に基づいて、下りプリコーディングを行い、または、前記端末からフィードバックされる最適なＣＳＩフィードバック配置の位置情報に基づいて、物理上りリンク制御チャネルＰＵＣＣＨのＣＳＩフィードバック配置情報を更新するための処理ユニット３０４を含む。
【０１１９】
さらに、各搬送波が１つのＣＳＩフィードバック配置群に対応し、または、全ての搬送波が１つのＣＳＩフィードバック配置群に対応する。
【０１２０】
同一思想に基づいて、図５には、上記方法フローを実行するための本公開の実施例による端末が例示されている。図５に示すように、本公開の実施例による端末は、第１受信ユニット４０１と、第２受信ユニット４０２と、フィードバックユニット４０３と、第３受信ユニット４０４とを含む。第１受信ユニット４０１は、ネットワーク機器から指示される非周期的チャネル状態情報ＣＳＩフィードバック用のＣＳＩフィードバック配置群を受信する。第２受信ユニット４０２は、前記ネットワーク機器から送信される下り制御情報ＤＣＩを受信する。フィードバックユニット４０３は、前記ＤＣＩに基づいて、前記ＣＳＩフィードバック配置群のうちの最適なＣＳＩフィードバック配置をフィードバックして非周期的ＣＳＩフィードバックを行う。
【０１２１】
さらに、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。
【０１２２】
さらに、前記最適なＣＳＩフィードバック配置の前記ＣＳＩフィードバック配置群における位置情報は、具体的に、最適なＣＳＩフィードバック配置の前記ＣＳＩフィードバック配置群におけるインデックス、または、最適なＣＳＩフィードバック配置の前記ＣＳＩフィードバック配置群の位置系列における対応位置のビット値であり、ここで、前記ＣＳＩフィードバック配置群のうちの各ＣＳＩフィードバック配置が前記位置系列における１つの位置に対応する。
【０１２３】
さらに、前記ネットワーク機器から端末に指示するＣＳＩフィードバック配置群の数が１つであり、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、前記ＤＣＩには、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示するための指示情報を含む。または、前記ネットワーク機器から端末に指示するＣＳＩフィードバック配置群の数が複数であり、前記ＤＣＩには、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、各ＣＳＩフィードバック配置群が１つの搬送波集合に対応し、前記ＤＣＩには、１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から前記端末に指示されて１つまたは複数のＣＳＩフィードバック配置群を含むＣＳＩフィードバック配置群集合の数が複数であり、前記ＤＣＩには、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示するための指示情報を含む。
【０１２４】
さらに、前記端末は、前記ネットワーク機器から送信される指示情報を受信するための第３受信ユニット４０４をさらに含み、前記指示情報は、前記搬送波集合に配置するＣＳＩフィードバック配置群を指示する。
【０１２５】
さらに、ＣＳＩフィードバック配置群のうちの最適なＣＳＩフィードバック配置の数は、予め決められる。または、ＣＳＩフィードバック配置群のうちの最適なＣＳＩフィードバック配置の数は、前記ＤＣＩに含まれる指示情報によって指示される。または、１つのＣＳＩフィードバック配置群のうちの最適なＣＳＩフィードバック配置の数は、配置パラメータとして当該ＣＳＩフィードバック配置群の配置パラメータに含まれる。または、１つのＣＳＩフィードバック配置群のうちの最適なＣＳＩフィードバック配置の数は、配置パラメータとして当該ＣＳＩフィードバック配置群の所属するＣＳＩフィードバック配置群集合の配置パラメータに含まれ、１つのＣＳＩフィードバック配置群集合における全てのＣＳＩフィードバック配置群のうちの最適なＣＳＩフィードバック配置の数が同一である。
【０１２６】
さらに、各搬送波が１つのＣＳＩフィードバック配置群に対応し、または、全ての搬送波が１つのＣＳＩフィードバック配置群に対応する。
【０１２７】
同一思想に基づいて、図６には、上記方法フローを実行するための本公開の実施例によるネットワーク機器が例示されている。図６に示すように、本公開の実施例によるネットワーク機器は、プロセッサ５００と、プロセッサ５００による制御でデータを送受信するためのトランシーバ５０１と、メモリ５０２とを含む。
【０１２８】
プロセッサ５００は、メモリ５０２からプログラムを読み出して、非周期的チャネル状態情報ＣＳＩフィードバック用のＣＳＩフィードバック配置群を端末に指示するプロセスと、前記ＣＳＩフィードバック配置群のうちの最適なＣＳＩフィードバック配置に基づく非周期的ＣＳＩフィードバックを前記端末に指示するための下り制御情報ＤＣＩを前記ネットワーク機器から前記端末に送信するプロセスとを実行する。
【０１２９】
さらに、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。
【０１３０】
さらに、前記最適なＣＳＩフィードバック配置の前記ＣＳＩフィードバック配置群における位置情報は、具体的に、最適なＣＳＩフィードバック配置の前記ＣＳＩフィードバック配置群におけるインデックス、または、最適なＣＳＩフィードバック配置の前記ＣＳＩフィードバック配置群の位置系列における対応位置のビット値であり、ここで、前記ＣＳＩフィードバック配置群のうちの各ＣＳＩフィードバック配置が前記位置系列における１つの位置に対応する。
【０１３１】
さらに、前記ネットワーク機器から端末に指示するＣＳＩフィードバック配置群の数が１つであり、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、前記ＤＣＩには、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示するための指示情報を含む。または、前記ネットワーク機器から端末に指示するＣＳＩフィードバック配置群の数が複数であり、前記ＤＣＩには、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、各ＣＳＩフィードバック配置群が１つの搬送波集合に対応し、前記ＤＣＩには、１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から前記端末に指示されて１つまたは複数のＣＳＩフィードバック配置群を含むＣＳＩフィードバック配置群集合の数が複数であり、前記ＤＣＩには、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示するための指示情報を含む。
【０１３２】
さらに、前記プロセッサ５００は、前記搬送波集合に配置するＣＳＩフィードバック配置群を前記端末に指示する。
【０１３３】
さらに、ＣＳＩフィードバック配置群のうちの最適なＣＳＩフィードバック配置の数は、予め決められる。または、ＣＳＩフィードバック配置群のうちの最適なＣＳＩフィードバック配置の数は、前記ＤＣＩに含まれる指示情報によって指示される。または、１つのＣＳＩフィードバック配置群のうちの最適なＣＳＩフィードバック配置の数は、配置パラメータとして当該ＣＳＩフィードバック配置群の配置パラメータに含まれる。または、１つのＣＳＩフィードバック配置群のうちの最適なＣＳＩフィードバック配置の数は、配置パラメータとして当該ＣＳＩフィードバック配置群の所属するＣＳＩフィードバック配置群集合の配置パラメータに含まれ、１つのＣＳＩフィードバック配置群集合における全てのＣＳＩフィードバック配置群のうちの最適なＣＳＩフィードバック配置の数が同一である。
【０１３４】
さらに、前記プロセッサ５００は、前記端末からフィードバックされる最適なＣＳＩフィードバック配置に対応するＣＳＩと位置情報に基づいて、下りプリコーディングを行い、または、前記端末からフィードバックされる最適なＣＳＩフィードバック配置の位置情報に基づいて、物理上りリンク制御チャネルＰＵＣＣＨのＣＳＩフィードバック配置情報を更新する。
【０１３５】
さらに、各搬送波が１つのＣＳＩフィードバック配置群に対応し、または、全ての搬送波が１つのＣＳＩフィードバック配置群に対応する。
【０１３６】
ここで、図６において、バスアーキテクチャは、任意数の相互接続するバスとブリッジを含み、具体的に、プロセッサ５００をはじめとする１つまたは複数のプロセッサとメモリ５０２をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ５０１は、複数の部品であってもよく、即ち送信機と受信機を含み、伝送媒体でほかの各種類の装置と通信するユニットを提供する。プロセッサ５００は、バスアーキテクチャと通常の処理を管理する。メモリ５０２は、プロセッサ５００による作業時に使用されるデータを記憶できる。
【０１３７】
同一思想に基づいて、図７には、上記方法フローを実行するための本公開の実施例による端末が例示されている。図７に示すように、本公開の実施例による端末は、プロセッサ６００と、プロセッサ６００による制御でデータを送受信するためのトランシーバ６０１と、メモリ６０２とを含む。
【０１３８】
プロセッサ６００は、メモリ６０２からプログラムを読み出して、ネットワーク機器から指示される非周期的チャネル状態情報ＣＳＩフィードバック用のＣＳＩフィードバック配置群を受信するプロセスと、前記ネットワーク機器から送信される下り制御情報ＤＣＩを受信し、前記ＤＣＩに基づいて、前記ＣＳＩフィードバック配置群のうちの最適なＣＳＩフィードバック配置をフィードバックして非周期的ＣＳＩフィードバックを行うプロセスとを実行する。
【０１３９】
さらに、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。
【０１４０】
さらに、前記最適なＣＳＩフィードバック配置の前記ＣＳＩフィードバック配置群における位置情報は、具体的に、最適なＣＳＩフィードバック配置の前記ＣＳＩフィードバック配置群におけるインデックス、または、最適なＣＳＩフィードバック配置の前記ＣＳＩフィードバック配置群の位置系列における対応位置のビット値であり、ここで、前記ＣＳＩフィードバック配置群のうちの各ＣＳＩフィードバック配置が前記位置系列における１つの位置に対応する。
【０１４１】
さらに、前記ネットワーク機器から端末に指示するＣＳＩフィードバック配置群の数が１つであり、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、前記ＤＣＩには、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示するための指示情報を含む。または、前記ネットワーク機器から端末に指示するＣＳＩフィードバック配置群の数が複数であり、前記ＤＣＩには、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から端末に指示するＣＳＩフィードバック配置群の数が複数であり、各ＣＳＩフィードバック配置群が１つの搬送波集合に対応し、前記ＤＣＩには、１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含む。または、前記ネットワーク機器から前記端末に指示されて１つまたは複数のＣＳＩフィードバック配置群を含むＣＳＩフィードバック配置群集合の数が複数であり、前記ＤＣＩには、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示するための指示情報を含む。
【０１４２】
さらに、前記プロセッサ６００は、前記ネットワーク機器から送信される指示情報を受信する。前記指示情報は、前記搬送波集合に配置するＣＳＩフィードバック配置群を指示する。
【０１４３】
さらに、ＣＳＩフィードバック配置群のうちの最適なＣＳＩフィードバック配置の数は、予め決められる。または、ＣＳＩフィードバック配置群のうちの最適なＣＳＩフィードバック配置の数は、前記ＤＣＩに含まれる指示情報によって指示される。または、１つのＣＳＩフィードバック配置群のうちの最適なＣＳＩフィードバック配置の数は、配置パラメータとして当該ＣＳＩフィードバック配置群の配置パラメータに含まれる。または、１つのＣＳＩフィードバック配置群のうちの最適なＣＳＩフィードバック配置の数は、配置パラメータとして当該ＣＳＩフィードバック配置群の所属するＣＳＩフィードバック配置群集合の配置パラメータに含まれ、１つのＣＳＩフィードバック配置群集合における全てのＣＳＩフィードバック配置群のうちの最適なＣＳＩフィードバック配置の数が同一である。
【０１４４】
さらに、各搬送波が１つのＣＳＩフィードバック配置群に対応し、または、全ての搬送波が１つのＣＳＩフィードバック配置群に対応する。
【０１４５】
ここで、図７において、バスアーキテクチャは、任意数の相互接続するバスとブリッジを含み、具体的に、プロセッサ６００をはじめとする１つまたは複数のプロセッサとメモリ６０２をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ６０１は、複数の部品であってもよく、即ち送信機と受信機を含み、伝送媒体でほかの各種類の装置と通信するユニットを提供する。プロセッサ６００は、バスアーキテクチャと通常の処理を管理する。メモリ６０２は、プロセッサ６００による作業時に使用されるデータを記憶できる。
【０１４６】
本公開の実施例は、方法、システム、またはコンピュータプログラムプロダクトとして提供されうると当業者が理解できる。従って、本公開は、完全にハードウェアの実施例、完全にソフトウェアの実施例、またはソフトウェアとハードウェアを組み合わせた実施例の形態を取り得る。しかも、本公開は、コンピュータ利用可能なプログラムコードを含む１つまたは複数のコンピュータ利用可能な記憶媒体（磁気ディスクメモリ、光学メモリなどを含むが、それらに限らない）で実施されるコンピュータプログラムプロダクトの形態を取り得る。
【０１４７】
本公開は、本公開の実施例による方法、デバイス（システム）およびコンピュータプログラムプロダクトのフロー図および／またはブロック図を参照にして記載されている。フロー図および／またはブロック図における各フローおよび／またはブロック、およびフロー図および／またはブロック図におけるフローおよび／またはブロックの組み合わせは、コンピュータプログラムコマンドにより実現されうると理解されるべきである。これらのコンピュータプログラムコマンドを汎用コンピュータ、専用コンピュータ、嵌め込み式プロセッサまたは他のプログラマブルデータ処理デバイスのプロセッサに提供して１つの機器を形成し、コンピュータまたは他のプログラマブルデータ処理デバイスのプロセッサにより実行される指令により、フロー図の１つまたは複数のフローおよび／またはブロック図の１つまたは複数のブロックで指定される機能を実現するための装置を形成する。
【０１４８】
これらのコンピュータプログラムコマンドは、コンピュータまたは他のプログラマブルデータ処理デバイスに特定の方式で動作させるを導けるコンピュータ読み出し可能なメモリに格納されてもよく、当該コンピュータ読み出し可能なメモリに格納されるコマンドにより、コマンド装置を含むプロダクトを形成する。当該コマンド装置は、フロー図の１つまたは複数のフローおよび／またはブロック図の１つまたは複数のブロックで指定される機能を実現する。
【０１４９】
これらのコンピュータプログラムコマンドは、コンピュータまたは他のプログラマブルデータ処理デバイスにロードされてもよく、コンピュータまたは他のプログラマブルデータ処理デバイスで一連の操作工程を実行することにより、コンピュータで実現される処理を形成し、コンピュータまたは他のプログラマブルデータ処理デバイスで実行されるコマンドにより、フロー図の１つまたは複数のフローおよび／またはブロック図の１つまたは複数のブロックで指定される機能を実現するためのステップを提供する。
【０１５０】
本公開の好適な実施例を記載したが、当業者は、基本的な創造性概念をいったん知ると、これらの実施例に対し別の変更や修正をすることができる。従って、添付の特許請求の範囲は、好適な実施例および本公開の範囲に入る全ての変更や修正を含むことを意図とする。
【０１５１】
明らかに、当業者は、本公開の精神や範囲を逸脱せずに、本公開に対して様々な変更や変形をすることができる。このように、本公開のこれらの修正や変形が本公開の請求項およびその同等の技術範囲に含まれるものであれば、本公開は、これらの変更や変形を含むことを意図とする。
【図１Ａ】
2018520571.tif 000008
【図１Ｂ】
2018520571.tif 000009
【図１Ｃ】
2018520571.tif 000010
【図１Ｄ】
2018520571.tif 000011
【図２】
2018520571.tif 000012
【図３】
2018520571.tif 000013
【図４】
2018520571.tif 000014
【図５】
2018520571.tif 000015
【図６】
2018520571.tif 000016
【図７】
2018520571.tif 000017
【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
非周期的チャネル状態情報ＣＳＩフィードバック用のＣＳＩフィードバック配置群をネットワーク機器から端末に指示することと、
前記ＣＳＩフィードバック配置群のうちの最適なＣＳＩフィードバック配置に基づく非周期的ＣＳＩフィードバックを前記端末に指示するための下り制御情報ＤＣＩを前記ネットワーク機器から前記端末に送信することと
を含むことを特徴とするチャネル状態情報取得方法。
【請求項２】
前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含むことを特徴とする請求項１に記載のチャネル状態情報取得方法。
【請求項３】
前記最適なＣＳＩフィードバック配置の前記ＣＳＩフィードバック配置群における位置情報は、具体的に、最適なＣＳＩフィードバック配置の前記ＣＳＩフィードバック配置群におけるインデックス、または、最適なＣＳＩフィードバック配置の前記ＣＳＩフィードバック配置群の位置系列における対応位置のビット値であり、ここで、前記ＣＳＩフィードバック配置群のうちの各ＣＳＩフィードバック配置が前記位置系列における１つの位置に対応することを特徴とする請求項２に記載のチャネル状態情報取得方法。
【請求項４】
前記ネットワーク機器から端末に指示するＣＳＩフィードバック配置群の数が１つであり、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から端末に指示するＣＳＩフィードバック配置群の数が複数であり、前記ＤＣＩには、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示するための指示情報を含み、
または、
前記ネットワーク機器から端末に指示するＣＳＩフィードバック配置群の数が複数であり、前記ＤＣＩには、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から端末に指示するＣＳＩフィードバック配置群の数が複数であり、各ＣＳＩフィードバック配置群が１つの搬送波集合に対応し、前記ＤＣＩには、１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から前記端末に指示されて１つまたは複数のＣＳＩフィードバック配置群を含むＣＳＩフィードバック配置群集合の数が複数であり、前記ＤＣＩには、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示するための指示情報を含むことを特徴とする請求項２に記載のチャネル状態情報取得方法。
【請求項５】
前記搬送波集合に配置するＣＳＩフィードバック配置群を前記ネットワーク機器から前記端末に指示することをさらに含むことを特徴とする請求項４に記載のチャネル状態情報取得方法。
【請求項６】
ＣＳＩフィードバック配置群のうちの最適なＣＳＩフィードバック配置の数は、予め決められ、
または、
ＣＳＩフィードバック配置群のうちの最適なＣＳＩフィードバック配置の数は、前記ＤＣＩに含まれる指示情報によって指示され、
または、
１つのＣＳＩフィードバック配置群のうちの最適なＣＳＩフィードバック配置の数は、配置パラメータとして当該ＣＳＩフィードバック配置群の配置パラメータに含まれ、
または、
１つのＣＳＩフィードバック配置群のうちの最適なＣＳＩフィードバック配置の数は、配置パラメータとして当該ＣＳＩフィードバック配置群の所属するＣＳＩフィードバック配置群集合の配置パラメータに含まれ、１つのＣＳＩフィードバック配置群集合における全てのＣＳＩフィードバック配置群のうちの最適なＣＳＩフィードバック配置の数が同一であることを特徴とする請求項１〜５のいずれか一項に記載のチャネル状態情報取得方法。
【請求項７】
各搬送波が１つのＣＳＩフィードバック配置群に対応し、または、全ての搬送波が１つのＣＳＩフィードバック配置群に対応することを特徴とする請求項４または５に記載のチャネル状態情報取得方法。
【請求項８】
端末が、ネットワーク機器から指示される非周期的チャネル状態情報ＣＳＩフィードバック用のＣＳＩフィードバック配置群を受信することと、
前記端末が、前記ネットワーク機器から送信される下り制御情報ＤＣＩを受信し、前記ＤＣＩに基づいて、前記ＣＳＩフィードバック配置群のうちの最適なＣＳＩフィードバック配置をフィードバックして非周期的ＣＳＩフィードバックを行うことと
を含むことを特徴とするチャネル状態情報フィードバック方法。
【請求項９】
前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含むことを特徴とする請求項８に記載のチャネル状態情報フィードバック方法。
【請求項１０】
前記最適なＣＳＩフィードバック配置の前記ＣＳＩフィードバック配置群における位置情報は、具体的に、最適なＣＳＩフィードバック配置の前記ＣＳＩフィードバック配置群におけるインデックス、または、最適なＣＳＩフィードバック配置の前記ＣＳＩフィードバック配置群の位置系列における対応位置のビット値であり、ここで、前記ＣＳＩフィードバック配置群のうちの各ＣＳＩフィードバック配置が前記位置系列における１つの位置に対応することを特徴とする請求項９に記載のチャネル状態情報フィードバック方法。
【請求項１１】
前記ネットワーク機器から端末に指示するＣＳＩフィードバック配置群の数が１つであり、前記ＤＣＩには、前記ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から端末に指示するＣＳＩフィードバック配置群の数が複数であり、前記ＤＣＩには、各前記ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をそれぞれフィードバックするよう前記端末に指示するための指示情報を含み、
または、
前記ネットワーク機器から端末に指示するＣＳＩフィードバック配置群の数が複数であり、前記ＤＣＩには、複数の前記ＣＳＩフィードバック配置群のうちの１つまたは複数のＣＳＩフィードバック配置群を指示すると共に、当該ＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から端末に指示するＣＳＩフィードバック配置群の数が複数であり、各ＣＳＩフィードバック配置群が１つの搬送波集合に対応し、前記ＤＣＩには、１つの搬送波集合を指示すると共に、当該搬送波集合に対応するＣＳＩフィードバック配置群のうちの最適なＣＳＩフィードバック配置に基づいたＣＳＩ測定によるＣＳＩおよび前記最適なＣＳＩフィードバック配置の前記ＣＳＩフィードバック配置群における位置情報をフィードバックするよう前記端末に指示するための指示情報を含み、
または、
前記ネットワーク機器から前記端末に指示されて１つまたは複数のＣＳＩフィードバック配置群を含むＣＳＩフィードバック配置群集合の数が複数であり、前記ＤＣＩには、複数の前記ＣＳＩフィードバック配置群集合のうちの１つのＣＳＩフィードバック配置群集合を指示すると共に、当該ＣＳＩフィードバック配置群集合のうちの各ＣＳＩフィードバック配置群のうちの最適なＣＳＩフィードバック配置に基づいたＣＳＩ測定によるＣＳＩおよび前記最適なＣＳＩフィードバック配置の所属する前記ＣＳＩフィードバック配置群における位置情報をフィードバックするよう前記端末に指示するための指示情報を含むことを特徴とする請求項９に記載のチャネル状態情報フィードバック方法。
【請求項１２】
前記端末が、前記ネットワーク機器から送信される指示情報を受信することをさらに含み、
前記指示情報は、前記搬送波集合に配置するＣＳＩフィードバック配置群を指示することを特徴とする請求項１１に記載のチャネル状態情報フィードバック方法。
【請求項１３】
ＣＳＩフィードバック配置群のうちの最適なＣＳＩフィードバック配置の数は、予め決められ、
または、
ＣＳＩフィードバック配置群のうちの最適なＣＳＩフィードバック配置の数は、前記ＤＣＩに含まれる指示情報によって指示され、
または、
１つのＣＳＩフィードバック配置群のうちの最適なＣＳＩフィードバック配置の数は、配置パラメータとして当該ＣＳＩフィードバック配置群の配置パラメータに含まれ、
または、
１つのＣＳＩフィードバック配置群のうちの最適なＣＳＩフィードバック配置の数は、配置パラメータとして当該ＣＳＩフィードバック配置群の所属するＣＳＩフィードバック配置群集合の配置パラメータに含まれ、１つのＣＳＩフィードバック配置群集合における全てのＣＳＩフィードバック配置群のうちの最適なＣＳＩフィードバック配置の数が同一であることを特徴とする請求項８〜１２のいずれか一項に記載のチャネル状態情報フィードバック方法。
【請求項１４】
各搬送波が１つのＣＳＩフィードバック配置群に対応し、または、全ての搬送波が１つのＣＳＩフィードバック配置群に対応することを特徴とする請求項１１または１２に記載のチャネル状態情報フィードバック方法。
【請求項１５】
非周期的チャネル状態情報ＣＳＩフィードバック用のＣＳＩフィードバック配置群を端末に指示するための第１送信ユニットと、
前記ＣＳＩフィードバック配置群のうちの最適なＣＳＩフィードバック配置に基づく非周期的ＣＳＩフィードバックを前記端末に指示するための下り制御情報ＤＣＩを前記端末に送信するための第２送信ユニットと
を含むことを特徴とするネットワーク機器。
【請求項１６】
ネットワーク機器から指示される非周期的チャネル状態情報ＣＳＩフィードバック用のＣＳＩフィードバック配置群を受信するための第１受信ユニットと、
前記ネットワーク機器から送信される下り制御情報ＤＣＩを受信するための第２受信ユニットと、
前記ＤＣＩに基づいて、前記ＣＳＩフィードバック配置群のうちの最適なＣＳＩフィードバック配置をフィードバックして非周期的ＣＳＩフィードバックを行うためのフィードバックユニットと
を含むことを特徴とする端末。
【国際調査報告】
2018520571.tif 000018
2018520571.tif 000019
2018520571.tif 000020
2018520571.tif 000021
2018520571.tif 000022
2018520571.tif 000023
2018520571.tif 000024